(57)【要約】【課題】リモートでＡＶ装置を操作できる環境がありながら、ユーザがＡＶ装置に接続しているモバイルオーディオ装置の操作を行う場合には、ＡＶ装置の近くまで移動して操作をしなければならなかった。【解決手段】ＡＶ装置と、モバイルオーディオ装置とからなるモバイルオーディオシステムを提供する。ＡＶ装置は、モバイルオーディオ装置からの音声信号を取得する音声信号取得部と、モバイルオーディオ装置の制御情報を取得する制御情報取得部と、取得した制御情報をモバイルオーディオ装置に対して出力する制御情報出力部と、を有し、モバイルオーディオ装置は、音声信号をＡＶ装置に出力する音声信号出力部と、制御情報をＡＶ装置から受け付ける制御情報受付部と、受け付けた制御情報により自身を制御する制御部と、を有する。【選択図】図２
2007149183.tif 000002
【特許請求の範囲】
【請求項１】
ＡＶ装置と、モバイルオーディオ装置とからなるモバイルオーディオシステムであって、
前記ＡＶ装置は、
前記モバイルオーディオ装置からの音声信号を取得する音声信号取得部と、
前記モバイルオーディオ装置の制御情報を取得する制御情報取得部と、
取得した制御情報を前記モバイルオーディオ装置に対して出力する制御情報出力部と、
を有し、
前記モバイルオーディオ装置は、
音声信号を前記ＡＶ装置に出力する音声信号出力部と、
制御情報を前記ＡＶ装置から受け付ける制御情報受付部と、
受け付けた制御情報により自身を制御する制御部と、
を有するモバイルオーディオシステム。
【請求項２】
前記制御情報の入力をするための制御情報入力部と、
入力された制御情報をＡＶ装置に対して送信する制御情報送信部と、
を有する、ＡＶ装置を制御するリモコン装置を
さらに有する請求項１に記載のモバイルオーディオシステム。
【請求項３】
前記ＡＶ装置は、
ＡＶコンテンツを出力するためのディスプレイを有し、
前記制御情報取得部は、前記ディスプレイに制御情報取得のためのＧＵＩを表示する制御情報取得ＧＵＩ表示手段を有する請求項１又は２に記載のモバイルオーディオシステム。
【請求項４】
ＡＶ装置の制御情報取得ＧＵＩ表示手段は、ＡＶコンテンツの全部又は一部と同時にＧＵＩを表示するための同時表示器を有する請求項３に記載のモバイルオーディオシステム。
【請求項５】
ＡＶ装置の制御情報取得部は、
モバイルオーディオ装置の音声信号出力部から出力される音声信号の音質調整のための制御情報である音質制御情報を取得するための音質制御情報取得手段を有する請求項１から４のいずれか一に記載のモバイルオーディオシステム。
【請求項６】
ＡＶ装置の前記制御情報取得ＧＵＩ表示手段は、前記音声信号取得部が取得した音声信号の音質を表示する音質表示器を有する請求項３から５のいずれか一に記載のモバイルオーディオシステム。
【請求項７】
ＡＶ装置はテレビ放送受信部を有する請求項１から６のいずれか一に記載のモバイルオーディオシステム。
【請求項８】
モバイルオーディオ装置からの音声信号を取得する音声信号取得部と、
モバイルオーディオ装置の制御情報を取得する制御情報取得部と、
取得した制御情報をモバイルオーディオ装置に対して出力する制御情報出力部と、
を有するＡＶ装置。
【請求項９】
ＡＶコンテンツを出力するためのディスプレイを有し、
前記制御情報取得部は、前記ディスプレイに制御情報取得のためのＧＵＩを表示する制御情報取得ＧＵＩ表示手段を有する請求項８に記載のＡＶ装置。
【請求項１０】
前記制御情報取得ＧＵＩ表示手段は、ＡＶコンテンツの全部又は一部と同時にＧＵＩを表示するための同時表示器を有する請求項９に記載のＡＶ装置。
【請求項１１】
前記制御情報取得部は、
モバイルオーディオ装置の音声信号出力部から出力される音声信号の音質調整のための制御情報である音質制御情報を取得するための音質制御情報取得手段を有する請求項８から１０のいずれか一に記載のＡＶ装置。
【請求項１２】
前記制御情報取得ＧＵＩ表示手段は、前記音声信号取得部が取得した音声信号の音質を表示する音質表示器を有する請求項９から１１のいずれか一に記載のＡＶ装置。
【請求項１３】
テレビ放送受信部を有する請求項８から１２のいずれか一に記載のＡＶ装置。
【請求項１４】
音声信号を前記ＡＶ装置に出力する音声信号出力部と、
制御情報を前記ＡＶ装置から受け付ける制御情報受付部と、
受け付けた制御情報により自身を制御する制御部と、
を有するモバイルオーディオ装置。
【請求項１５】
前記制御情報の入力をするための制御情報入力部と、
入力された制御情報をＡＶ装置に対して送信する制御情報送信部と、
を有するＡＶ装置を制御するリモコン装置。
【請求項１６】
ＡＶ装置と、モバイルオーディオ装置とからなるモバイルオーディオシステムの動作方法であって、
前記ＡＶ装置は、
前記モバイルオーディオ装置の制御情報を取得する制御情報取得ステップと、
取得した制御情報を前記モバイルオーディオ装置に対して出力する制御情報出力ステップと、を有し、
前記モバイルオーディオ装置は、
制御情報を前記ＡＶ装置から受け付ける制御情報受付ステップと、
受け付けた制御情報により自身を制御する制御ステップと、
を有するモバイルオーディオシステムの動作方法。
【請求項１７】
前記制御情報の入力をするための制御情報入力ステップと、
入力された制御情報をＡＶ装置に対して送信する制御情報送信ステップと、
を有する、ＡＶ装置を制御するリモコン装置を
さらに有する請求項１６に記載のモバイルオーディオシステムの動作方法。
【請求項１８】
前記ＡＶ装置は、
ＡＶコンテンツを出力するためのディスプレイを有し、
前記制御情報取得ステップは、前記ディスプレイに制御情報取得のためのＧＵＩを表示する制御情報取得ＧＵＩ表示ステップを有する請求項１６又は１７に記載のモバイルオーディオシステムの動作方法。
【請求項１９】
ＡＶ装置の制御情報取得ＧＵＩ表示ステップは、ＡＶコンテンツの全部又は一部と同時にＧＵＩを表示するための同時表示ステップを有する請求項１８に記載のモバイルオーディオシステムの動作方法。
【請求項２０】
前記モバイルオーディオ装置は、
音声信号を前記ＡＶ装置に出力する音声信号出力ステップを有し、
ＡＶ装置の制御情報取得ステップは、
モバイルオーディオ装置の音声信号出力ステップにて出力される音声信号の音質調整のための制御情報である音質制御情報を取得するための音質制御情報取得ステップを有する請求項１６から１９のいずれか一に記載のモバイルオーディオシステムの動作方法。
【請求項２１】
前記ＡＶ装置は、
前記モバイルオーディオ装置からの音声信号を取得する音声信号取得ステップと、
前記制御情報取得ＧＵＩ表示ステップは、前記音声信号取得ステップにて取得した音声信号の音質を表示する音質表示ステップを有する請求項１８から２０のいずれか一に記載のモバイルオーディオシステムの動作方法。
【発明の詳細な説明】
【技術分野】
【０００１】
本発明は、ＡＶ装置とモバイルオーディオ装置とからなるモバイルオーディオシステムに関する。
【背景技術】
【０００２】
現在、音楽の視聴スタイルが大幅に変化している。ユーザは、ＭＰ３（ＭＰＥＧ  Ａｕｄｉｏ  Ｌａｙｅｒ−３）プレイヤーや、ＨＤＤ（Ｈａｒｄ  Ｄｉｓｋ  Ｄｒｉｖｅ）プレイヤーなどに代表される各種の携帯型音楽プレイヤー（以下、「モバイルオーディオ」という）に圧縮した音楽ファイルを大量に保存して、その中から好みの曲を視聴している。このように多量の曲をモバイルオーディオに保存しておくことが可能となっているため、ユーザとしては、好みの曲を全てモバイルオーディオに保存することで、いつでもお気に入りの曲を聴くことが可能となっている。また、近年では、ラジオ番組の音声コンテンツなどをモバイルオーディオに保存、更新することで、音楽のみならず音声コンテンツをもモバイルオーディオで鑑賞可能となっている。このようにモバイルオーディオはユーザコンテンツのアーカイブセンターとしてその地位を構築しつつある。
【０００３】
ところで、モバイルオーディオは携帯型の音楽プレイヤーであり、通常はイヤホンやヘッドホンなどを用いて音楽などを聴くことになる。そこで、自宅の部屋においてモバイルオーディオに保存されている音楽を迫力ある音響で聴く場合には、テレビなどのＡＶ装置にモバイルオーディオを接続し、そのテレビのスピーカーなどを利用する新しい音楽の視聴方法が考えられる。特にデジタル放送を受信可能な大型デジタルテレビでは、内部の音声処理回路をデジタルアンプ化し、大型の高性能スピーカーに出力することで、迫力のある高音質な音声再生が可能となっている。
【０００４】
そして、テレビなどのＡＶ装置に入力される音声や映像などの入力ソースに関する情報をＡＶ装置側に表示する技術に関しての発明が特許文献１に開示されている。
【特許文献１】特開２００２−１８５８８１号公報
【発明の開示】
【発明が解決しようとする課題】
【０００５】
しかしながら、従来技術は、あくまでＡＶ装置側に入力ソースの情報を表示するのみであり、入力元の機器に対する各制御を行うことができないという課題がある。というのも、例えばモバイルオーディオ装置からＡＶ装置に対して音声信号を出力する場合には、ＡＶ装置の入力端子に対してケーブルプラグを挿入して両者を接続することが考えられる。そうするとケーブルの長さが十分でないなどのために、ＡＶ装置とモバイルオーディオ装置とを至近距離に配置する必要があり、視聴者が着座する位置と離れてしまうことになる。この場合に、ユーザは、ＡＶ装置の操作をするには、着座位置からリモコン装置などを用いたリモート操作を行う。一方、モバイルオーディオ装置を操作するには、ＡＶ装置の至近距離に移動して直接的にこれを操作する必要がある。つまり、リモートでＡＶ装置を操作できる環境がありながら、ユーザがモバイルオーディオ装置の操作を行う場合には、わざわざＡＶ装置の近くまで移動して操作をしなければならず、利便性に欠けるという課題がある。
【０００６】
そこで、本発明は、かかる課題に鑑みてなされたものであり、モバイルオーディオ装置からＡＶ装置に対して音声信号を出力する場合において、モバイルオーディオ装置の制御を、ＡＶ装置を通じて実行可能にすることでユーザビリティの向上を実現させたモバイルオーディオシステムを提供することを目的とする。
【課題を解決するための手段】
【０００７】
そこで、本発明においては、かかる課題を解決するために、ＡＶ装置と、モバイルオーディオ装置とからなるモバイルオーディオシステムを提供する。ＡＶ装置は、モバイルオーディオ装置からの音声信号を取得する音声信号取得部と、モバイルオーディオ装置の制御情報を取得する制御情報取得部と、取得した制御情報をモバイルオーディオ装置に対して出力する制御情報出力部と、を有し、モバイルオーディオ装置は、音声信号をＡＶ装置に出力する音声信号出力部と、制御情報をＡＶ装置から受け付ける制御情報受付部と、受け付けた制御情報により自身を制御する制御部と、を有する。かかる構成によりＡＶ装置からモバイルオーディオ装置の操作、設定が可能となる。
【０００８】
また、制御情報の入力をするための制御情報入力部と、入力された制御情報をＡＶ装置に対して送信する制御情報送信部と、を有する、ＡＶ装置を制御するリモコン装置を有してもよい。かかる構成により、リモコン装置を利用してＡＶ装置からのモバイルオーディオ装置の遠隔制御を行うことができる。また、ＡＶ装置は、ＡＶコンテンツを出力するためのディスプレイを有し、制御情報取得部は、ディスプレイに制御情報取得のためのＧＵＩを表示する制御情報取得ＧＵＩ表示手段を有していてもよい。かかる構成により、実質的にＡＶ装置の調整を行うことのみで、従来のリモコン装置などを利用してモバイルオーディオ装置の制御を行うことができる。また、ＡＶ装置の制御情報取得ＧＵＩ表示手段は、ＡＶコンテンツの全部又は一部と同時にＧＵＩを表示するための同時表示器を有してもよい。かかる構成により、画面を分割するなどして通常の映像と、モバイルオーディオ装置との設定画面とを併せてディスプレイに表示することができる。また、ＡＶ装置の制御情報取得部は、モバイルオーディオ装置の音声信号出力部から出力される音声信号の音質調整のための制御情報である音質制御情報を取得するための音質制御情報取得手段を有してもよい。かかる構成により、モバイルオーディオ装置から出力される音声信号の音質を制御することができる。また、ＡＶ装置の前記制御情報取得ＧＵＩ表示手段は、前記音声信号取得部が取得した音声信号の音質を表示する音質表示器を有してもよい。かかる構成により、音質の制御調整を容易に行うことができる。
【発明の効果】
【０００９】
本発明においては、モバイルオーディオ装置の制御をＡＶ装置から行うことを可能にしたために、離れた位置からリモコン装置などを通じてモバイルオーディオ装置の制御を行うことが可能となり、ユーザビリティを向上させることができる。また、モバイルオーディオ装置の操作ボタンなどに不具合が生じた場合であっても、ＡＶ装置から制御を行うことで、モバイルオーディオ装置の操作等を行うことができるため、利便性の向上が期待できる。
【発明を実施するための最良の形態】
【００１０】
以下に、各発明の実施の形態を説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、７、８、１３、１４、１６などについて説明する。実施形態２は、主に請求項２、１５、１７などについて説明する。実施形態３は、主に請求項３、９、１８などについて説明する。実施形態４は、主に請求項４、１０、１９などについて説明する。実施形態５は、主に請求項５、１１、２０などについて説明する。実施形態６は、主に請求項６、１２、２１などについて説明する。
【００１１】
<<実施形態１>>
<実施形態１の概要>
本実施形態は、ＡＶ装置とモバイルオーディオ装置とからなるモバイルオーディオシステムに関するものである。ＡＶ装置からモバイルオーディオ装置の制御情報を出力し、モバイルオーディオ装置はその制御情報に基づいて自身の制御を行うことで、ユーザは、ＡＶ装置を通じてモバイルオーディオ装置の操作や設定などを行うことが可能となる。図１は本実施形態における概念の一例を示す図である。図１においては、ＡＶ装置である液晶テレビの前面には、ヘッドホン用の音声出力端子の隣に「モバイルオーディオ」と記載された外部音声信号入力端子が設けられている。そして、この外部音声信号入力端子に対して、モバイルオーディオ装置の「ヘッドホン」や、「ラインアウト」などの出力端子と接続しているケーブルのプラグを挿入すると、液晶テレビの音声出力が、モバイルオーディオ装置からの音声出力に切り換わる。また、液晶テレビの前面にはＵＳＢ（Ｕｎｉｖｅｒｓａｌ  Ｓｅｒｉａｌ  Ｂｕｓ）の入力端子があり、このＵＳＢ端子とモバイルオーディオ装置とを接続することで液晶テレビからモバイルオーディオに対して制御情報を出力することが可能となっている。（もちろん、このほかにＵＳＢや、その他の接続規格を用いてモバイルオーディオ装置と、ＡＶ装置とを一本のケーブルで接続したり、無線規格を利用して接続する構成をとることも可能である。）
<実施形態１の構成>
図２に本実施形態における機能ブロックの一例を示す。図２に示す本実施形態の「モバイルオーディオシステム」（０２００）は、「ＡＶ装置」（０２１０）と、「モバイルオーディオ装置」（０２２０）と、からなる。ＡＶ装置（０２１０）は、「音声信号取得部」（０２１１）と、「制御情報取得部」（０２１２）と、「制御情報出力部」（０２１３）と、を有する。モバイルオーディオ装置（０２２０）は、「音声信号出力部」（０２２１）と、「制御情報受付部」（０２２２）と、「制御部」（０２２３）と、を有する。
【００１２】
本件発明の構成要素である各部は、ハードウェア、ソフトウェア、ハードウェアとソフトウェアの両者、のいずれかによって構成される。例えば、これらを実現する一例として、コンピュータを利用する場合には、ＣＰＵ、メモリ、バス、インターフェイス、周辺装置などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１３】
最初に、ＡＶ装置（０２１０）と、ＡＶ装置の各構成について説明する。「ＡＶ装置」（０２００）の具体例としては、液晶テレビやプラズマテレビなどの各種テレビ装置や、ホームシアターなどのコンポーネント装置、カーナビゲーション装置、カーオーディオ装置、などが挙げられる。これらは通常ユーザの自宅に恒常的に設置してあったり、車載機器として移動体に組み込まれたりしているものであり、音声信号を大音量で出力することが可能であるため、かかるＡＶ装置に対してモバイルオーディオ装置を接続することで、モバイルオーディオ装置に保存されている音楽を迫力ある音響の環境で聴くことが可能となるからである。
【００１４】
「音声信号取得部」（０２１１）は、前記モバイルオーディオ装置からの音声信号を取得する。音声信号取得部は、例えば外部音声信号入力端子やアンプなどから構成される。音声信号を取得するタイミングとしては、外部音声信号入力端子にモバイルオーディオ装置からのプラグが挿入されたことをトリガーとして音声信号を取得してもよいし、あるいは外部音声信号入力端子にプラグを挿入し、ＡＶ装置の入力モードの切換処理を行うことをトリガーとして音声信号を取得してもよい。このようにして取得された音声信号はＡＶ装置から出力される音声信号となる。図３は、音声信号を取得する場合におけるＡＶ装置の模式図の一例を示す図である。図３においては、チューナ（０３０３）を経由して内部で取得されたＡＶ信号を入力するＡＶ信号入力部（０３０４）がスイッチ（０３０５）によって音声信号転送部（０３０７）に接続されている。音声信号転送部（０３０７）は、音声信号処理回路（０３０８）に音声信号としてＡＶ信号を転送している。ここで、モバイルオーディオ装置からのプラグ（０３０１）が音声信号取得部である外部音声信号入力端子（０３０２）に挿入されると、スイッチ制御部（０３０６）は、スイッチ（０３０５）をＡＶ信号入力部（０３０４）から、外部音声信号入力端子（０３０２）へと切り換える処理を行う。これにより、モバイルオーディオ装置から入力される音声信号がＡＶ装置からの音声出力信号となる。なお、ＡＶ装置は、このようにチューナ（０３０３）やＡＶ信号入力部（０３０４）などの「テレビ放送受信部」を有していてもよい。「テレビ放送受信部」は、チューナなどの他に例えばビデオやＤＶＤからのテレビ放送番組を視聴するために映像信号を受信するＡＶ入力端子であってもよい。
【００１５】
「制御情報取得部」（０２１２）は、前記モバイルオーディオ装置の制御情報を取得する。「制御情報」とは、モバイルオーディオ装置を制御するための情報である。図４（ａ）に制御情報の一例を示す。図４（ａ）に示すように、モバイルオーディオ装置の制御としては、例えば「電源オン」「電源オフ」などの電源に関する制御や、「再生」「一時停止」「早送り」「巻き戻し」「停止」などのモバイルオーディオ装置の操作に関する制御や、「設定」のように、モバイルオーディオ装置の設定に関する制御などが挙げられる。これらの制御情報は、各モバイルオーディオ装置の制御情報に適合するように取得されてもよい。即ち、ＡＶ装置にてモバイルオーディオ装置の製造各社の制御情報についての制御情報テーブルを保持しておき、接続するモバイルオーディオ装置の機器識別情報などを基にしてそのモバイルオーディオ装置に適合した制御情報を出力することができる。図４（ｂ）は制御情報テーブルの一例を示す図である。例えば、図４（ａ）の例では「再生」を示す場合にはデジタル信号として「２」を示す「００１０」がモバイルオーディオ装置に対する制御情報となるが、別の会社のモバイルオーディオ装置に対しては「再生」を示すデジタル信号が例えば「４」を示す「０１００」となる場合もあり得る。なお、図４（ｂ）で示すような制御情報テーブルは、モバイルオーディオ装置の製造各社の仕様が異なっている場合を前提とした記載であり、例えば共通の仕様が整備された場合においては、その共通仕様に応じた制御情報を取得すればよい。制御情報は、例えばユーザがテンキーなどの物理的なボタンを押すことをトリガーに取得されてもよいし、後述するＧＵＩのアイコンや文字等を操作することをトリガーに取得されてもよい。
【００１６】
「制御情報出力部」（０２１３）は、取得した制御情報を前記モバイルオーディオ装置に対して出力する。モバイルオーディオ装置に対して制御情報を出力する方法としては、例えばＵＳＢケーブルを介して出力することが挙げられる。即ち、制御情報出力部の具体例としては、ＵＳＢポートが挙げられる。ＵＳＢポートを利用することにより、様々な種別のモバイルオーディオ装置に対して制御情報を出力することができる。なお、制御情報出力部は、ＵＳＢポートの他に例えば光ケーブルの差込部であってもよいし、Ｂｌｕｅｔｏｏｔｈ（登録商標）やＩｒＤＡ（Ｉｎｆｒａｒｅｄ  Ｄａｔａ  Ａｓｓｏｃｉａｔｉｏｎ）のように近距離のデータ通信を行うための信号を出力する信号出力部であってもよい。あるいは、制御情報出力部は、音声信号取得部と兼用するように構成されてもよい。例えば、ＡＶ装置がモバイルオーディオ装置から音声信号を取得する際に、音声信号をデジタル信号として、ＵＳＢや光ケーブルなどを介して取得する場合には、これらを利用してモバイルオーディオ装置に対して制御情報を出力できるように構成されてもよい。
【００１７】
次にモバイルオーディオ装置の各構成について説明する。「音声信号出力部」（０２２１）は、音声信号を前記ＡＶ装置に出力する。音声信号出力部の具体例としては、音声出力用のヘッドホン端子やライン端子が挙げられる。音声信号をＡＶ装置に対して出力する方法としては、既に説明したように、モバイルオーディオ装置のヘッドホン端子やライン端子に接続したケーブルのプラグをＡＶ装置の外部音声信号入力端子に入力することで音声信号を出力することができる。また、ＡＶ装置とＵＳＢや光ケーブルを介して、音声信号をデジタル音声信号のままＡＶ装置に対して出力してもよい。このようにして出力された音声信号はＡＶ装置からの音声出力に用いられることになる。
【００１８】
「制御情報受付部」（０２２２）は、制御情報を前記ＡＶ装置から受け付ける。制御情報受付部は、既に説明したＵＳＢケーブル、Ｂｌｕｅｔｏｏｔｈ（登録商標）やＩｒＤＡなどから情報を受け付けるためのインターフェイスから構成される。「制御部」（０２２３）は、受け付けた制御情報により自身を制御する。「自身」とはモバイルオーディオ装置自身のことである。「制御情報により」とは、制御情報に基づいて、の意である。制御情報はモバイルオーディオ装置を制御するための情報であるため、その制御情報に基づいてモバイルオーディオ装置の制御を行うことになる。モバイルオーディオ装置の制御例としては、電源のオン／オフや、音声コンテンツの再生、停止、早送り等や、音声コンテンツの音質、音量の調節や、リピート機能の設定など、各種の制御が含まれる。制御部は、例えばＣＰＵ、ＤＳＰ（Ｄｉｇｉｔａｌ  Ｓｉｇｎａｌ  Ｐｒｏｃｅｓｓｏｒ）、ＲＯＭ（Ｒｅａｄ  Ｏｎｌｙ  Ｍｅｍｏｒｙ）などから構成される。
【００１９】
<実施形態１の処理の流れ>
図５は、本実施形態におけるＡＶ装置の処理の流れの一例を示したものである。本実施形態における処理は、以下に示すステップよりなる。なお、以下に示す処理の流れは、計算機に実行させるためのプログラム、またはそのプログラムが記録された読み取り可能な記録媒体として実施されうる（以下、本明細書における処理の流れの記載についても同様である）。
【００２０】
最初に、モバイルオーディオ装置の制御情報を取得する（Ｓ０５０１）。次に、取得した制御情報をモバイルオーディオ装置に対して出力する（Ｓ０５０２）。なお、ステップＳ０５０１や、ステップＳ０５０２の前後に音声信号を取得するステップを有してもよい。また、電源オフやスタンバイ状態になるまで以上の処理を繰り返し行ってもよい。
【００２１】
図６は、本実施形態におけるモバイルオーディオ装置の処理の流れの一例を示す図である。最初に、制御情報をＡＶ装置から受け付けたかを判断する（Ｓ０６０１）。ステップＳ０６０１にて制御情報を受け付けたと判断した場合には、受け付けた制御情報により自身を制御する（Ｓ０６０２）。なお、ステップＳ０６０１やステップＳ０６０２の前後に音声信号を出力するステップを有してもよい。また、電源オフやスタンバイ状態になるまで以上の処理を繰り返してもよい。
【００２２】
<実施形態１の効果>
本実施形態におけるモバイルオーディオシステムにおいては、ＡＶ装置から制御情報を出力し、その制御情報に基づいてモバイルオーディオ装置の制御を行うことが可能となる。このため、モバイルオーディオ装置の操作ボタンなどに不具合が生じた場合であってもＡＶ装置を通じてモバイルオーディオ装置の操作が可能となるため、ユーザビリティを向上させることができる。
【００２３】
<<実施形態２>>
<実施形態２の概要>
本実施形態におけるモバイルオーディオシステムは、リモコン装置を有し、そのリモコン装置から制御情報が入力されることを特徴とするものである。リモコン装置を利用して制御情報を入力することができるため、ユーザはモバイルオーディオ装置の所在場所まで移動することなくモバイルオーディオ装置の操作等を行うことができる。
【００２４】
<実施形態２の構成>
図７に本実施形態における機能ブロックの一例を示す。図７に示す本実施形態の「モバイルオーディオシステム」（０７００）は、「ＡＶ装置」（０７１０）と、「モバイルオーディオ装置」（０７２０）と、「リモコン装置」（０７３０）と、からなる。ＡＶ装置（０７１０）は、「音声信号取得部」（０７１１）と、「制御情報取得部」（０７１２）と、「制御情報出力部」（０７１３）と、を有する。モバイルオーディオ装置（０７２０）は、「音声信号出力部」（０７２１）と、「制御情報受付部」（０７２２）と、「制御部」（０７２３）と、を有する。リモコン装置（０７３０）は、「制御情報入力部」（０７３１）と、「制御情報送信部」（０７３２）と、を有する。
【００２５】
本実施形態は、実施形態１で説明したモバイルオーディオシステムがさらに「リモコン装置」（０７３０）を有し、そのリモコン装置が「制御情報入力部」（０７３１）と、「制御情報送信部」（０７３２）と、を有することを特徴とするものである。「リモコン装置」（０７３０）と、「制御情報入力部」（０７３１）と、「制御情報送信部」（０７３２）と、を除く各構成については実施形態１で説明したものと同様であるため、ここでの説明は省略する。
【００２６】
「リモコン装置」（０７３０）は、ＡＶ装置を制御するものである。即ち、本実施形態で説明するリモコン装置（０７３０）は、ＡＶ装置に対して利用されるものであり、モバイルオーディオ装置に対して直接制御信号を出力するリモコン装置を意味するものではない。
【００２７】
「制御情報入力部」（０７３１）は、前記制御情報の入力をするためのものである。制御情報入力部の具体例としては、リモコン装置のテンキーなどのボタン部や、あるいはタッチパネル式のリモコン装置である場合には、その液晶表示画面の入力インターフェイスが挙げられる。例えば、ユーザがリモコン装置を用いてモバイルオーディオ装置に早送り制御を実行させようとする場合には、まず、リモコン装置のモード切換ボタンなどを押下して、ＡＶ装置を介してモバイルオーディオ装置を制御可能なモードにリモコン装置の状態を変更する。そして、その後、例えば「早送り」を意味する「４」というテンキーを押下することで、リモコン装置に制御情報の入力がなされたことになる。
【００２８】
「制御情報送信部」（０７３２）は、入力された制御情報をＡＶ装置に対して送信する。具体的には赤外線通信やＢｌｕｅｔｏｏｔｈ（登録商標）などを利用してＡＶ装置に対して送信を行う。そして、ＡＶ装置では、例えば赤外線受光部などによってリモコン装置から送信された制御情報を受信して、その受信した制御情報をＡＶ装置の制御情報取得部（０７１２）が取得することになる。そして、実施形態１で説明したようにその制御情報がモバイルオーディオ装置に対して出力されてモバイルオーディオ装置の制御がなされることになる。
【００２９】
<実施形態２の処理の流れ>
図８は、本実施形態におけるリモコン装置の処理の流れの一例を示す図である。ＡＶ装置とモバイルオーディオ装置の処理の流れについては実施形態１で説明したものと同様であるため、ここでの説明は省略する。まず最初に、制御情報を入力する（Ｓ０８０１）。そして、ステップＳ０８０１にて入力された制御情報をＡＶ装置に対して送信する（Ｓ０８０２）。次に、図９を用いて本実施形態のモバイルオーディオシステムの全体シーケンスを説明する。最初に、リモコン装置からＡＶ装置に対して制御情報を送信する（Ｓ０９０１）。制御情報を受け付けたＡＶ装置では、その制御情報をモバイルオーディオ装置に対して出力する（Ｓ０９０２）。モバイルオーディオ装置では、その制御情報に基づいた制御がなされる。そして、制御の一例として音声信号を出力する制御がなされる場合には、モバイルオーディオ装置からＡＶ装置に対して音声信号が出力される（Ｓ０９０３）。
【００３０】
<実施形態２の効果>
本実施形態におけるモバイルオーディオシステムは、ＡＶ装置を制御するリモコン装置を有し、そのリモコン装置から制御情報をＡＶ装置に対して送信することによって、モバイルオーディオ装置を遠隔操作することが可能となるため、ユーザビリティを向上させることができる。
【００３１】
<<実施形態３>>
<実施形態３の概要>
本実施形態におけるモバイルオーディオシステムは、ＡＶ装置がディスプレイを有し、そのディスプレイに表示するＧＵＩ（Ｇｒａｐｈｉｃａｌ  Ｕｓｅｒ  Ｉｎｔｅｒｆａｃｅ）を利用して、制御情報を取得可能としたことを特徴とするものである。
【００３２】
<実施形態３の構成>
図１０に本実施形態における機能ブロックの一例を示す。図１０に示す本実施形態の「モバイルオーディオシステム」（１０００）は、「ＡＶ装置」（１０１０）と、「モバイルオーディオ装置」（１０２０）と、「リモコン装置」（１０３０）と、からなる。ＡＶ装置（１０１０）は、「音声信号取得部」（１０１１）と、「制御情報取得部」（１０１２）と、「制御情報出力部」（１０１３）と、「ディスプレイ」（１０１４）と、を有する。制御情報取得部（１０１２）は、「制御情報取得ＧＵＩ表示手段」（１０１５）を有する。モバイルオーディオ装置（１０２０）は、「音声信号出力部」（１０２１）と、「制御情報受付部」（１０２２）と、「制御部」（１０２３）と、を有する。リモコン装置（１０３０）は、「制御情報入力部」（１０３１）と、「制御情報送信部」（１０３２）と、を有する。
【００３３】
本実施形態は実施形態１又は２で説明したモバイルオーディオシステムにおけるＡＶ装置が、さらに「ディスプレイ」（１０１４）と、「制御情報取得ＧＵＩ表示手段」（１０１５）と、を有することを特徴とするものである。「ディスプレイ」（１０１４）と、「制御情報取得ＧＵＩ表示手段」（１０１５）とを除く各構成については実施形態１又は２で説明したものと同様であるため、ここでの説明は省略する。
【００３４】
「ディスプレイ」（１０１４）は、ＡＶコンテンツを出力するためのものである。「ＡＶコンテンツ」とは、例えばテレビ放送番組や、ＤＶＤやビデオなどに記憶されている映画や音楽ビデオなどの各種コンテンツが挙げられる。ディスプレイは、例えば液晶ディスプレイであってもよいし、ＣＲＴ（Ｃａｔｈｏｄｅ  Ｒａｙ  Ｔｕｂｅ）ディスプレイであってもよいし、プラズマディスプレイや有機ＥＬ（ｅｌｅｃｔｒｏ−ｌｕｍｉｎｅｓｃｅｎｃｅ）ディスプレイであってもよく、ＡＶコンテンツを出力可能なディスプレイであればいずれのディスプレイも含まれる。
【００３５】
「制御情報取得ＧＵＩ表示手段」（１０１５）は、前記ディスプレイに制御情報取得のためのＧＵＩを表示する。「ＧＵＩ」とは、グラフィカルユーザインターフェイスのことであり、ユーザに対する情報の表示としてグラフィックを利用し、各操作をそのグラフィックを利用して行うものである。また、ＧＵＩは「制御情報取得のため」のものであるため、そのＧＵＩを通じて制御情報を取得することができる。例えば画面上に表示されている「再生」欄にリモコン装置などを用いてカーソルを合わせて、実行ボタンを押下すると、その「再生」を示す制御情報が取得され、その制御情報がモバイルオーディオ装置に対して出力されることになる。図１１は、ＧＵＩの表示の一例を示す概念図である。ＡＶ装置である液晶テレビのディスプレイには、モバイルオーディオ設定画面が表示されており、各操作に関する内容がディスプレイにＧＵＩとして表示されている。図１１の例では、「再生」の項目がアクティブになっていることを示すために網掛け表示となっている。この場合において、ユーザは「再生」の制御を行う場合にはこの状態で実行ボタンを押下する。一方、モバイルオーディオ装置の「設定」を行う場合には、リモコン装置の「下」を示すテンキーを押下することで、アクティブ状態を「設定」に遷移させることができる。ここで、リモコン装置の実行ボタンを押下すると、モバイルオーディオ装置の設定画面に切り換わり、その後モバイルオーディオ装置の設定を、同様にＧＵＩを用いながら行うことができる。
【００３６】
このようにＡＶ装置のディスプレイに制御情報取得のためのＧＵＩを表示することで、制御情報を取得することが可能になるため、従来用いられているＡＶ装置に対応するリモコン装置をそのまま利用してモバイルオーディオ装置の制御を行うことも可能となる。即ち、モバイルオーディオ装置の制御を行うための各種のプログラムなどはＡＶ装置の内部に格納されており、そのプログラムなどをＧＵＩを通じて利用することが可能となるため、従来用いられているリモコン装置に特別な信号モードなどの設定を準備することなしに、リモコン装置からＡＶ装置を通じてモバイルオーディオ装置の制御を行うことが可能となる。なお、本実施形態においてはＧＵＩに対して制御を行う機器としてリモコン装置を例に挙げて説明したが、これに限られることはない。例えば、ＡＶ装置本体の操作ボタンなどを用いて画面に表示されているＧＵＩに対して操作を行うことも可能であるし、あるいは、ＡＶ装置にマウスやキーボードなどの入力機器を接続して、その入力機器を通じてＧＵＩに対して操作を行ってもよい。
【００３７】
図１２は、ＧＵＩを表示する際における制御部のハードウェア構成の一例を示す図である。制御情報取得ＧＵＩ表示手段では、以下の処理が行われる。まずＲＯＭ（１２０２）に格納されているＧＵＩ表示プログラムの命令をＣＰＵ（１２０１）が読み込む。そして、そのプログラムの命令に基づいてＣＰＵは、ディスプレイにＧＵＩを表示させるための命令をグラフィックコントローラ（１２０４）に対して出力する。そして、グラフィックコントローラ（１２０４）はグラフィックスメモリ（１２０５）にＧＵＩのデータを書き込み、そのグラフィックスメモリに書き込まれたデータに基づいてディスプレイに対してＧＵＩを表示させる。そして、ディスプレイにＧＵＩが表示されている場合にユーザがＡＶ装置に対してリモコン装置などから信号を送った場合には、図外の赤外線受光部にて受けた信号がＩ／Ｏ（１２０３）を通じてＧＵＩ表示プログラムを起動しているＣＰＵに通知さる。ここで、例えばＣＰＵに通知された信号がＧＵＩを表示している画面上のカーソル移動を行うことを示す信号である場合には、再びグラフィックコントローラに対してＧＵＩを変更表示するための命令を出力する。一方、制御情報を出力するための実行を示す信号である場合には、ＣＰＵはＲＡＭ（１２０６）の所定領域に格納されているＧＵＩの設定情報を読み出し、その設定情報で示される制御情報をＩ／Ｏを通じてモバイルオーディオ装置に対して出力させるための命令を行う。
【００３８】
<実施形態３の処理の流れ>
図１３は、本実施形態におけるＡＶ装置の処理の流れの一例を示す図である。ステップＳ１３０１においては、ディスプレイに制御情報取得のためのＧＵＩを表示する。その後、ＧＵＩによってモバイルオーディオ装置の制御情報を取得する。ステップＳ１３０３以降の処理については実施形態１又は２で説明したものと同様であるため、ここでの説明は省略する。
【００３９】
<実施形態３の効果>
本実施形態におけるモバイルオーディオシステムは、ＡＶ装置がディスプレイを有し、そのディスプレイに制御情報取得のためのＧＵＩを表示することにより、モバイルオーディオ装置の操作方法を視覚的にユーザに提供することが可能となるため、ユーザビリティを向上させることができる。また、ＧＵＩを利用することにより、モバイルオーディオ装置の制御に非対応のリモコン装置などの入力機器を用いてモバイルオーディオ装置を制御することが可能となるため、新たにリモコン装置などの開発を行うことなくモバイルオーディオ装置の制御が可能となり、開発コストを削減することができる。
【００４０】
<<実施形態４>>
<実施形態４の概要>
本実施形態におけるモバイルオーディオシステムは、ＡＶ装置が、ディスプレイ上に通常のテレビ映像と、モバイルオーディオの設定画面とを同時に表示することを可能にしたことを特徴とする。例えば、画面を二分割にし、片方には通常の映像を表示し、他方にはモバイルオーディオの設定画面としてＧＵＩを表示することができる。
【００４１】
<実施形態４の構成>
図１４に本実施形態における機能ブロックの一例を示す。図１４に示す本実施形態の「モバイルオーディオシステム」（１４００）は、「ＡＶ装置」（１４１０）と、「モバイルオーディオ装置」（１４２０）と、「リモコン装置」（１４３０）と、からなる。ＡＶ装置（１４１０）は、「音声信号取得部」（１４１１）と、「制御情報取得部」（１４１２）と、「制御情報出力部」（１４１３）と、「ディスプレイ」（１４１４）と、を有する。制御情報取得部（１４１２）は、「制御情報取得ＧＵＩ表示手段」（１４１５）を有する。制御情報取得ＧＵＩ表示手段（１４１５）は、「同時表示器」（１４１６）を有する。モバイルオーディオ装置（１４２０）は、「音声信号出力部」（１４２１）と、「制御情報受付部」（１４２２）と、「制御部」（１４２３）と、を有する。リモコン装置（１４３０）は、「制御情報入力部」（１４３１）と、「制御情報送信部」（１４３２）と、を有する。
【００４２】
本実施形態におけるモバイルオーディオシステムは、実施形態３で説明したＡＶ装置がさらに「同時表示器」（１４１６）を有することを特徴とするものである。「同時表示器」（１４１６）を除く各構成については実施形態３で説明したものと同様であるため、ここでの説明は省略する。
【００４３】
「同時表示器」（１４１６）は、ＡＶコンテンツの全部又は一部と同時にＧＵＩを表示するためのものである。「ＡＶコンテンツの全部又は一部」とは、例えばディスプレイにＡＶコンテンツとＧＵＩとの両者を表示する場合において、ＡＶコンテンツを縮小表示することでＡＶコンテンツの全部を表示する場合もあれば、ＡＶコンテンツの一部分の上にＧＵＩを表示させることで、ＡＶコンテンツの一部を欠いた状態で表示する場合があることを意味している。「同時に」とは、ディスプレイ上にＡＶコンテンツとＧＵＩとを併せて表示することを意味する。図１５は、ＡＶコンテンツの全部と同時にＧＵＩを表示する例と、ＡＶコンテンツの一部と同時にＧＵＩを表示する例を示す図である。図１５（ａ）は、ＡＶコンテンツとして人が二人映っている映像をディスプレイに表示している図である。ここで、図１５（ａ）の映像と同時にＧＵＩを表示する場合に、ＡＶコンテンツの「全部」を表示する場合は図１５（ｂ）のように、画面を二分割して、一方には縮小されたＡＶコンテンツの全体映像を表示し、他方にはＧＵＩの画面を表示する。これに対して、ＡＶコンテンツの「一部」を表示する場合は、図１５（ｃ）のように、ＡＶコンテンツの映像は縮小処理をせずにその右側部分にＧＵＩを表示する。このため、ＧＵＩを表示した部分の一部を欠いた映像を表示することになる。なお、図１５の例では、画面を均等に横二分割をした例に基づいて説明を行ったが、例えば縦に画面を分割して表示してもよいし、分割する場合には均等二分割ではなく、他方をより多く表示するように分割割合を変更してもよい。あるいは、画面を分割せずに、ＡＶコンテンツの映像を背景映像としてそのまま表示し、その映像上にＧＵＩを表示してもよい。なお、画面を分割する方法としては、画面上にアドレスを付し、その分割位置に応じたアドレスを利用して各映像を表示させるための処理を行うことで画面の分割表示を行うことができる。
【００４４】
<実施形態４の処理の流れ>
図１６は、本実施形態におけるＡＶ装置の処理の流れの一例を示す図である。ステップＳ１６０１を除く処理の流れについては実施形態３で説明したものと同様であるため、ここでの説明は省略する。ステップＳ１６０１は、ＡＶコンテンツの全部又は一部と同時にディスプレイに制御情報取得のためのＧＵＩを表示する。なお、ＧＵＩを表示する際には、映像にフェードイン、フェードアウトなどの加工処理を行ってもよい。
【００４５】
<実施形態４の効果>
本実施形態におけるモバイルオーディオシステムは、ＡＶ装置がＡＶコンテンツの全部又は一部と同時にＧＵＩを表示することを可能にしたことにより、ＡＶコンテンツを視聴しながら、モバイルオーディオ装置の制御を行うことが可能となる。このため、ＡＶコンテンツを視ながらモバイルオーディオ装置の制御を行いたいユーザにとっては、途中でＡＶコンテンツが途切れることなくモバイルオーディオ装置の制御を行うことができるため、利便性を向上させることができる。
【００４６】
<<実施形態５>>
<実施形態５の概要>
本実施形態におけるモバイルオーディオシステムは、モバイルオーディオ装置からＡＶ装置に対して出力される音声信号の音質調整を、ＡＶ装置から制御可能としたことを特徴とする。ＡＶ装置を通じてモバイルオーディオ装置から出力される音声信号の音質を調整することで、ユーザは、最適な音質で音楽等を楽しむことができる。
【００４７】
<実施形態５の構成>
図１７に本実施形態における機能ブロックの一例を示す。図１７に示す本実施形態の「モバイルオーディオシステム」（１７００）は、「ＡＶ装置」（１７１０）と、「モバイルオーディオ装置」（１７２０）と、からなる。ＡＶ装置（１７１０）は、「音声信号取得部」（１７１１）と、「制御情報取得部」（１７１２）と、「制御情報出力部」（１７１３）と、を有する。制御情報取得部（１７１２）は、「音質制御情報取得手段」（１７１４）を有する。モバイルオーディオ装置（１７２０）は、「音声信号出力部」（１７２１）と、「制御情報受付部」（１７２２）と、「制御部」（１７２３）と、を有する。
【００４８】
本実施形態におけるモバイルオーディオシステムは、実施形態１から４のいずれかで説明したＡＶ装置が、さらに「音質制御情報取得手段」（１７１４）を有することを特徴とするものである。「音質制御情報取得手段」（１７１４）を除く各構成については実施形態１から４のいずれかで説明したものと同様であるため、ここでの説明は省略する。
【００４９】
「音質制御情報取得手段」（１７１４）は、モバイルオーディオ装置の音声信号出力部から出力される音声信号の音質調整のための制御情報である音質制御情報を取得する。「音質調整」とは、例えば音声信号の周波数の振幅値を変更することが挙げられる。モバイルオーディオ装置から出力される音声信号の周波数の振幅値を変更することで、ＡＶ装置のスピーカーなどの再生特性に適した周波数ごとの振幅値に調整することができ、最適な音質でその音声、音楽を楽しむことができる。図１８は、音声制御情報の一例を示す図である。図１８では、ＸＭＬ形式にて音声制御情報を取得する例を示している。音質制御情報取得手段にて取得した音声制御情報は、制御情報出力部からモバイルオーディオ装置に対して出力され、モバイルオーディオ装置の制御部にてその音声制御情報に基づいた音質調整がなされることになる。
【００５０】
なお、もちろんＡＶ装置においてモバイルオーディオ装置から取得した音声信号の音質を調整することも可能である。しかしながら、本実施形態はＡＶ装置側の音質調整では調整不能な音声信号に対して特に効果を奏するものである。つまり、例えばモバイルオーディオ装置からＡＶ装置に出力される音声信号の周波数の振幅値が大きすぎたり、あるいは逆に小さすぎたりする場合には、ＡＶ装置側の音質調整では調整しきれない場合がある。このような場合には、モバイルオーディオ装置から出力される時点の音声信号の音質を調整することでかかる問題を解消することができるようになる。
【００５１】
<実施形態５の処理の流れ>
図１９は、本実施形態のＡＶ装置における処理の流れの一例を示す図である。ステップＳ１９０１においては、モバイルオーディオ装置からの音声信号を取得する。ステップＳ１９０２においては、モバイルオーディオ装置から出力される音声信号の音質調整のための制御情報である音質制御情報を取得する。そして、取得した音質制御情報は制御情報としてモバイルオーディオ装置に対して出力される（Ｓ１９０３）。その他の処理の流れについては実施形態１から４のいずれかで説明したものと同様である。
【００５２】
<実施形態５の効果>
本実施形態におけるモバイルオーディオシステムは、モバイルオーディオ装置からＡＶ装置に対して出力される音声信号の音質調整のための制御情報である音質制御情報を取得することにより、ＡＶ装置を通じてモバイルオーディオ装置から出力される音声信号の音質を調整することが可能となる。このため、ユーザは、モバイルオーディオ装置から出力される音声信号をＡＶ装置に適した周波数の振幅値に調節することで、そのＡＶ装置に最適な音質で音楽等を聴くことができる。また、ＡＶ装置側の音質調整機能では調整不能な音声信号についても、モバイルオーディオ装置側での音質調整が可能となるため、ユーザは、より多彩な音楽等を楽しむことができる。
【００５３】
<<実施形態６>>
<実施形態６の概要>
本実施形態におけるモバイルオーディオシステムは、音声信号の音質をＧＵＩとして表示することを可能としたことを特徴とするものである。音質をＧＵＩとして表示することでユーザは視覚的に音質を把握することができる。また、音質をＧＵＩとして表示することにより、音質の調整をもそのＧＵＩを通じて行うことも可能となる。
【００５４】
<実施形態６の構成>
図２０に本実施形態における機能ブロックの一例を示す。図２０に示す本実施形態の「モバイルオーディオシステム」（２０００）は、「ＡＶ装置」（２０１０）と、「モバイルオーディオ装置」（２０２０）と、「リモコン装置」（２０３０）と、からなる。ＡＶ装置（２０１０）は、「音声信号取得部」（２０１１）と、「制御情報取得部」（２０１２）と、「制御情報出力部」（２０１３）と、「ディスプレイ」（２０１４）と、を有する。制御情報取得部（２０１２）は、「制御情報取得ＧＵＩ表示手段」（２０１５）を有する。制御情報取得ＧＵＩ表示手段は、「音質表示器」（２０１６）を有する。モバイルオーディオ装置（２０２０）は、「音声信号出力部」（２０２１）と、「制御情報受付部」（２０２２）と、「制御部」（２０２３）と、を有する。リモコン装置（２０３０）は、「制御情報入力部」（２０３１）と、「制御情報送信部」（２０３２）と、を有する。
【００５５】
本実施形態におけるモバイルオーディオシステムは、実施形態３から５のいずれかで説明したＡＶ装置が、さらに「音質表示器」（２０１６）を有することを特徴とするものである。「音質表示器」（２０１６）を除く各構成については実施形態３から５のいずれかで説明したものと同様であるため、ここでの説明は省略する。
【００５６】
「音質表示器」（２０１６）は、前記音声信号取得部が取得した音声信号の音質を表示する。「音声信号の音質を表示」とは、例えばＧＵＩの一例であるグラフィックイコライザにてその音声信号の周波数の振幅値などを表示することが挙げられる。このように音声信号の音質を表示することにより、ユーザは現在流れている音声信号の音質を視覚的に逐一確認することが可能となる。また、音声表示器は、制御情報取得ＧＵＩ表示手段（２０１５）が有しているものである。このため、例えば実施形態５で説明した音質調整のための音質制御情報をＧＵＩによって取得することも可能である。図２１を用いて説明する。図２１は、音声信号の音質を表示しているＡＶ装置のディスプレイの一例を示す図である。図２１においては、モバイルオーディオ装置から取得した音声信号の音質が、グラフィックイコライザにて表示されている。そして、例えばユーザがＧＵＩを通じて周波数の振幅値を変更すると、その制御情報がモバイルオーディオ装置に出力されて、周波数の振幅値を変更した音声信号がＡＶ装置に対して出力されることになる。このように、音声信号の音質をＧＵＩにて表示することで、視覚的に音質を把握できるとともに、音質の調整をも容易に行うことが可能となる。
【００５７】
図２２は、本実施形態における制御部のハードウェアの構成の一例を示す図である。制御部に含まれる音声表示器では、以下の処理が行われる。まずＲＯＭ（２２０２）に格納されているＧＵＩ表示プログラムの命令をＣＰＵ（２２０１）が読み込む。そして、そのプログラムの命令に基づいてＣＰＵは、ディスプレイにＧＵＩを表示させるための命令をグラフィックコントローラ（２２０４）に対して出力する。そして、グラフィックコントローラはグラフィックスメモリ（２２０５）にＧＵＩのデータを書き込み、そのグラフィックスメモリに書き込まれたデータに基づいてディスプレイに対してＧＵＩを表示させる。ここで、図外の音声信号取得部にて取得された音声信号は、Ａ／Ｄ変換器（２２０８）にてデジタル信号に変換され、Ｉ／Ｏ（２２０３）を通じてＲＡＭ（２２０６）などに一時的に格納される。そしてＣＰＵは、読み込んだＧＵＩ表示プログラムの命令に基づいて、ＲＡＭに格納されたそのデジタル音声信号に応じた音質を示すＧＵＩを表示させるための命令をグラフィックコントローラに対して出力する。グラフィックコントローラは音質を表示するデータをグラフィックスメモリに書き込み、そのグラフィックスメモリに書き込まれたデータに基づいてディスプレイに対して音質を示すＧＵＩを表示させる。そして、ディスプレイにＧＵＩが表示されている場合に、ユーザが音質を調整するために、リモコン装置などから信号を送った場合には、図外の赤外線受光部にて受けた信号がＩ／Ｏを通じてＧＵＩ表示プログラムを起動しているＣＰＵに通知される。するとＣＰＵは、音質を調整するための音質制御情報を、Ｉ／Ｏを通じてモバイルオーディオ装置に対して出力させるための命令を行う。
【００５８】
<実施形態６の処理の流れ>
図２３は、本実施形態におけるＡＶ装置の処理の流れの一例を示す図である。ステップＳ２３０２までの処理については実施形態３から５のいずれかで説明したものと同様である。ステップＳ２３０３においては、取得した音声信号の音質を表示する。以降の処理については実施形態３から５のいずれかで説明したものと同様である。
【００５９】
<実施形態６の効果>
本実施形態におけるモバイルオーディオシステムは、ＡＶ装置において、音声信号の音質をＧＵＩを用いて表示することを可能にしたことで、モバイルオーディオ装置から出力される音声信号の音質を視覚的に把握できるとともに、表示されている音質のＧＵＩを通じて音声信号の音質調整を行うことも可能となるため、より容易に音質調整を行うことが可能となる。
【図面の簡単な説明】
【００６０】
【図１】実施形態１を説明するための概念図
【図２】実施形態１を説明するための機能ブロック図
【図３】実施形態１の音声信号の取得を説明するための模式図
【図４】実施形態１の制御情報の一例を示す図
【図５】実施形態１のＡＶ装置の処理の流れを説明する図
【図６】実施形態１のモバイルオーディオ装置の処理の流れを説明するための図
【図７】実施形態２を説明するための機能ブロック図
【図８】実施形態２のリモコン装置の処理の流れを説明するための図
【図９】実施形態２の全体シーケンスを示す図
【図１０】実施形態３を説明するための機能ブロック図
【図１１】実施形態３のＧＵＩを説明するための図
【図１２】実施形態３のＧＵＩを表示する際のハードウェア構成を示す図
【図１３】実施形態３のＡＶ装置の処理の流れを説明する図
【図１４】実施形態４を説明するための機能ブロック図
【図１５】実施形態４のディスプレイの表示画面の一例を示す図
【図１６】実施形態４の処理の流れを説明する図
【図１７】実施形態５を説明するための機能ブロック図
【図１８】実施形態５の音質制御情報の一例を示す図
【図１９】実施形態５の処理の流れを説明する図
【図２０】実施形態６を説明するための機能ブロック図
【図２１】実施形態６のグラフィックイコライザの一例を示す図
【図２２】実施形態６の音質を表示する際のハードウェア構成を示す図
【図２３】実施形態６の処理の流れを説明するための図
【符号の説明】
【００６１】
０２００    モバイルオーディオシステム
０２１０    ＡＶ装置
０２１１    音声信号取得部
０２１２    制御情報取得部
０２１３    制御情報出力部
０２２０    モバイルオーディオ装置
０２２１    音声信号出力部
０２２２    制御情報受付部
０２２３    制御部
【図１】
2007149183.tif 000003
【図２】
2007149183.tif 000004
【図３】
2007149183.tif 000005
【図４】
2007149183.tif 000006
【図５】
2007149183.tif 000007
【図６】
2007149183.tif 000008
【図７】
2007149183.tif 000009
【図８】
2007149183.tif 000010
【図９】
2007149183.tif 000011
【図１０】
2007149183.tif 000012
【図１１】
2007149183.tif 000013
【図１２】
2007149183.tif 000014
【図１３】
2007149183.tif 000015
【図１４】
2007149183.tif 000016
【図１５】
2007149183.tif 000017
【図１６】
2007149183.tif 000018
【図１７】
2007149183.tif 000019
【図１８】
2007149183.tif 000020
【図１９】
2007149183.tif 000021
【図２０】
2007149183.tif 000022
【図２１】
2007149183.tif 000023
【図２２】
2007149183.tif 000024
【図２３】
2007149183.tif 000025